(57)【要約】【課題】原コンテンツの利用に関する権利範囲が変更される際に、当該権利範囲の変更を、当該原コンテンツを利用して作成された複次利用コンテンツの利用に関する権利範囲に対して迅速に反映させることが可能なコンテンツ管理装置、コンピュータプログラム、及び情報提示方法を提供する。【解決手段】コンテンツ管理装置は、コンテンツの作成者であるユーザにより指定されたコンテンツの権利情報を権利情報データベースから取得する。そして、コンテンツ管理装置は、取得した権利情報に規定される権利範囲の変更を当該ユーザから受け付け、当該ユーザにより指定されたコンテンツを利用して作成された２次利用コンテンツが記憶されている場合に、当該原コンテンツの権利範囲の変更の受け付けに応じて、当該原コンテンツを利用する２次利用コンテンツの権利範囲を所定条件で変更させる。【選択図】図４
2013073490.tif 000002
【特許請求の範囲】
【請求項１】
コンテンツを管理するコンテンツ管理装置において、
前記コンテンツと当該コンテンツの利用に関する権利範囲を規定する権利情報をコンテンツ毎に対応付けて記憶する記憶手段と、
前記コンテンツの作成者により指定された前記コンテンツに対応する前記権利情報を前記記憶手段から取得する取得手段と、
前記取得手段により取得された前記権利情報に規定される権利範囲の変更を受け付ける受付手段と、
前記作成者により指定された前記コンテンツを利用して作成された複次利用コンテンツが前記記憶手段に記憶されている場合に、前記コンテンツの利用に関する権利範囲の変更の受け付けに応じて、当該コンテンツを利用して作成された前記複次利用コンテンツの利用に関する権利範囲を所定条件で変更させる制御手段と、
を備えることを特徴とするコンテンツ管理装置。
【請求項２】
前記権利範囲を前記複次利用コンテンツの作成者の変更指示を受け付けずに変更する第１のモードと、前記権利範囲を前記複次利用コンテンツの作成者の変更指示を受け付けて該変更指示にしたがって変更する第２のモードと、との何れかのモードを前記複次利用コンテンツの作成者の選択に応じて設定する設定手段を更に備えることを特徴とする請求項１に記載のコンテンツ管理装置。
【請求項３】
前記設定手段により前記第１のモードが設定されている場合、前記制御手段は、前記コンテンツの利用に関する権利範囲の変更内容に基づいて、前記複次利用コンテンツの利用に関する権利範囲を変更させることを特徴とする請求項２に記載のコンテンツ管理装置。
【請求項４】
前記設定手段により前記第２のモードが設定されている場合、前記制御手段は、前記複次利用コンテンツの作成者の変更指示を受け付けて該変更指示にしたがって、当該複次利用コンテンツの利用に関する権利範囲を変更させることを特徴とする請求項２に記載のコンテンツ管理装置。
【請求項５】
利用者により指定された前記コンテンツを利用して作成された複次利用コンテンツを前記記憶手段から検索する検索手段と、
前記検索手段により検索された前記複次利用コンテンツに関する情報を前記利用者に提示する第１提示手段と、
を更に備えることを特徴とする請求項１乃至４の何れか一項に記載のコンテンツ管理装置。
【請求項６】
利用者により指定された前記複次利用コンテンツの作成にあたり利用された前記コンテンツを前記記憶手段から検索する検索手段と、
前記検索手段により検索された前記コンテンツに関する情報を前記利用者に提示する第２提示手段と、
を更に備えることを特徴とする請求項１乃至５の何れか一項に記載のコンテンツ管理装置。
【請求項７】
利用者により指定された前記コンテンツに対応する前記権利情報に規定される権利範囲の変更履歴を前記利用者に提示する第３提示手段を更に備えることを特徴とする請求項１乃至６の何れか一項に記載のコンテンツ管理装置。
【請求項８】
コンテンツと当該コンテンツの利用に関する権利範囲を規定する権利情報をコンテンツ毎に対応付けて記憶する記憶手段にアクセス可能なコンピュータに、
前記コンテンツの作成者により指定された前記コンテンツに対応する前記権利情報を前記記憶手段から取得する取得ステップと、
前記取得ステップにより取得された前記権利情報に規定される権利範囲の変更を受け付ける受付ステップと、
前記作成者により指定された前記コンテンツを利用して作成された複次利用コンテンツが前記記憶手段に記憶されている場合に、前記コンテンツの利用に関する権利範囲の変更の受け付けに応じて、当該コンテンツを利用して作成された前記複次利用コンテンツの利用に関する権利範囲を所定条件で変更させる制御ステップと、
を実行させることを特徴とするコンピュータプログラム。
【請求項９】
コンテンツと当該コンテンツの利用に関する権利範囲を規定する権利情報をコンテンツ毎に対応付けて記憶する記憶手段にアクセス可能なコンピュータにおける情報提示方法であって、
前記コンテンツの作成者により指定された前記コンテンツに対応する前記権利情報を前記記憶手段から取得する取得ステップと、
前記取得ステップにより取得された前記権利情報に規定される権利範囲の変更を受け付ける受付ステップと、
前記作成者により指定された前記コンテンツを利用して作成された複次利用コンテンツが前記記憶手段に記憶されている場合に、前記コンテンツの利用に関する権利範囲の変更の受け付けに応じて、当該コンテンツを利用して作成された前記複次利用コンテンツの利用に関する権利範囲を所定条件で変更させる制御ステップと、
を含むことを特徴とする情報提示方法。
【発明の詳細な説明】
【技術分野】
【０００１】
著作権により保護されるコンテンツの利用に関する権利範囲を規定する権利情報を管理する管理装置等の技術分野に関する。
【背景技術】
【０００２】
著作権により保護されるコンテンツを利用して２次利用コンテンツを作成した場合（言い換えれば、コンテンツに対して加工を行った場合）、２次利用コンテンツの利用に関する権利範囲は、２次利用コンテンツの作成にあたり利用されたコンテンツの利用に関する権利範囲より広い範囲にならないように設定しなければならない。特許文献１には、コンテンツに対して加工を行った場合に、２次利用コンテンツに対する複雑な著作権の種類を考慮せずに、許諾内容間の整合性を維持しつつ、適切な許諾内容を設定することができるデジタルコンテンツ権利生成装置が提案されている。なお、２次利用コンテンツを利用して作成されたコンテンツは３次利用コンテンツというが、２次以降の利用コンテンツを「複次利用コンテンツ」といい、複次利用コンテンツの作成に当たり利用されたコンテンツを「原コンテンツ」という。
【先行技術文献】
【特許文献】
【０００３】
【特許文献１】特開２００６−１８７５３号公報
【発明の概要】
【発明が解決しようとする課題】
【０００４】
ところで、原コンテンツの作成者（著作権者）が当該原コンテンツの利用に関する権利範囲を変更する場合がある、この場合において、当該原コンテンツを利用して既に作成された複次利用コンテンツがあるとき、特許文献１等の従来の技術では、当該原コンテンツの利用に関する権利範囲の変更を、当該複次利用コンテンツの利用に関する権利範囲に対して迅速に反映させることは困難であった。
【０００５】
そこで、本発明は、以上の点等に鑑みてなされたものであり、原コンテンツの利用に関する権利範囲が変更される際に、当該権利範囲の変更を、当該原コンテンツを利用して作成された複次利用コンテンツの利用に関する権利範囲に対して迅速に反映させることが可能なコンテンツ管理装置、コンピュータプログラム、及び情報提示方法を提供すること等を課題とする。
【課題を解決するための手段】
【０００６】
上記課題を解決するために、請求項１に記載の発明は、コンテンツを管理するコンテンツ管理装置において、前記コンテンツと当該コンテンツの利用に関する権利範囲を規定する権利情報をコンテンツ毎に対応付けて記憶する記憶手段と、前記コンテンツの作成者により指定された前記コンテンツに対応する前記権利情報を前記記憶手段から取得する取得手段と、前記取得手段により取得された前記権利情報に規定される権利範囲の変更を受け付ける受付手段と、前記作成者により指定された前記コンテンツを利用して作成された複次利用コンテンツが前記記憶手段に記憶されている場合に、前記コンテンツの利用に関する権利範囲の変更の受け付けに応じて、当該コンテンツを利用して作成された前記複次利用コンテンツの利用に関する権利範囲を所定条件で変更させる制御手段と、を備えることを特徴とする。
【０００７】
請求項２に記載の発明は、請求項１に記載のコンテンツ管理装置において、前記権利範囲を前記複次利用コンテンツの作成者の変更指示を受け付けずに変更する第１のモードと、前記権利範囲を前記複次利用コンテンツの作成者の変更指示を受け付けて該変更指示にしたがって変更する第２のモードと、との何れかのモードを前記複次利用コンテンツの作成者の選択に応じて設定する設定手段を更に備えることを特徴とする。
【０００８】
請求項３に記載の発明は、請求項２に記載のコンテンツ管理装置において、前記設定手段により前記第１のモードが設定されている場合、前記制御手段は、前記コンテンツの利用に関する権利範囲の変更内容に基づいて、前記複次利用コンテンツの利用に関する権利範囲を変更させることを特徴とする。
【０００９】
請求項４に記載の発明は、請求項２に記載のコンテンツ管理装置において、前記設定手段により前記第２のモードが設定されている場合、前記制御手段は、前記複次利用コンテンツの作成者の変更指示を受け付けて該変更指示にしたがって、当該複次利用コンテンツの利用に関する権利範囲を変更させることを特徴とする。
【００１０】
請求項５に記載の発明は、請求項１乃至４の何れか一項に記載のコンテンツ管理装置において、利用者により指定された前記コンテンツを利用して作成された複次利用コンテンツを前記記憶手段から検索する検索手段と、前記検索手段により検索された前記複次利用コンテンツに関する情報を前記利用者に提示する第１提示手段と、を更に備えることを特徴とする。
【００１１】
請求項６に記載の発明は、請求項１乃至５の何れか一項に記載のコンテンツ管理装置において、利用者により指定された前記複次利用コンテンツの作成にあたり利用された前記コンテンツを前記記憶手段から検索する検索手段と、前記検索手段により検索された前記コンテンツに関する情報を前記利用者に提示する第２提示手段と、を更に備えることを特徴とする。
【００１２】
請求項７に記載の発明は、請求項１乃至６の何れか一項に記載のコンテンツ管理装置において、利用者により指定された前記コンテンツに対応する前記権利情報に規定される権利範囲の変更履歴を前記利用者に提示する第３提示手段を更に備えることを特徴とする。
【００１３】
請求項８に記載のコンピュータプログラムの発明は、コンテンツと当該コンテンツの利用に関する権利範囲を規定する権利情報をコンテンツ毎に対応付けて記憶する記憶手段にアクセス可能なコンピュータに、前記コンテンツの作成者により指定された前記コンテンツに対応する前記権利情報を前記記憶手段から取得する取得ステップと、前記取得ステップにより取得された前記権利情報に規定される権利範囲の変更を受け付ける受付ステップと、前記作成者により指定された前記コンテンツを利用して作成された複次利用コンテンツが前記記憶手段に記憶されている場合に、前記コンテンツの利用に関する権利範囲の変更の受け付けに応じて、当該コンテンツを利用して作成された前記複次利用コンテンツの利用に関する権利範囲を所定条件で変更させる制御ステップと、を実行させることを特徴とする。
【００１４】
請求項９に記載の発明は、コンテンツと当該コンテンツの利用に関する権利範囲を規定する権利情報をコンテンツ毎に対応付けて記憶する記憶手段にアクセス可能なコンピュータにおける情報提示方法であって、前記コンテンツの作成者により指定された前記コンテンツに対応する前記権利情報を前記記憶手段から取得する取得ステップと、前記取得ステップにより取得された前記権利情報に規定される権利範囲の変更を受け付ける受付ステップと、前記作成者により指定された前記コンテンツを利用して作成された複次利用コンテンツが前記記憶手段に記憶されている場合に、前記コンテンツの利用に関する権利範囲の変更の受け付けに応じて、当該コンテンツを利用して作成された前記複次利用コンテンツの利用に関する権利範囲を所定条件で変更させる制御ステップと、を含むことを特徴とする。
【発明の効果】
【００１５】
請求項１、８又は９に記載の発明によれば、コンテンツの利用に関する権利範囲が変更される際に、当該権利範囲の変更を、当該コンテンツを利用して作成された複次利用コンテンツの利用に関する権利範囲に対して迅速に反映させることができる。
【００１６】
請求項２に記載の発明によれば、複次利用コンテンツの作成者は、当該複次利用コンテンツの重要性等に応じて２つのモードを使い分けることができる。
【００１７】
請求項３に記載の発明によれば、コンテンツの利用に関する権利範囲の変更を、当該コンテンツを利用して作成された複次利用コンテンツの利用に関する権利範囲に対してより迅速に反映させることができる。
【００１８】
請求項４に記載の発明によれば、コンテンツの利用に関する権利範囲の変更があった場合、複次利用コンテンツの作成者は、変更された権利範囲に基づいて、再度複次利用コンテンツの権利範囲を再設定することができる。よって、複次利用コンテンツの作成者は、利用しているコンテンツの権利範囲が変更されても、複次利用コンテンツの権利範囲をより適切に反映させることができる。
【００１９】
請求項５に記載の発明によれば、コンテンツを利用して作成された複次利用コンテンツに関する情報を利用者に迅速に提示することができる。その結果、利用者は、指定したコンテンツの利用に関する権利範囲を変更した場合における影響範囲、つまり、当該コンテンツを利用して作成された複次利用コンテンツを迅速に確認することができる。
【００２０】
請求項６に記載の発明によれば、複次利用コンテンツの作成にあたり利用されたコンテンツに関する情報を利用者に迅速に提示することができる。
【００２１】
請求項７に記載の発明によれば、コンテンツに対応する権利情報に規定される権利範囲の変更履歴を利用者に迅速に提示することができる。
【図面の簡単な説明】
【００２２】
【図１】本実施形態に係るコンテンツ管理システムの概要構成例を示す図である。
【図２】各データベースに登録される情報の一例を示す図である。
【図３】コンテンツの登録動作においてユーザ端末１に表示される画面の遷移例を示す図である。
【図４】コンテンツの登録動作におけるユーザ端末１及びコンテンツ管理サーバ２の処理を示すフローチャートである。
【図５】図４に示すステップＳ７におけるコンテンツの検索動作の詳細を示すフローチャートである。
【図６】（Ａ）は、図４に示すステップＳ１４における権利情報自動生成処理の詳細を示すフローチャートであり、（Ｂ）は、図４に示すステップＳ２２におけるコンテンツ販売・再生設定処理の詳細を示すフローチャートである。
【図７】コンテンツの権利情報変更動作においてユーザ端末１に表示される画面の遷移例を示す図である。
【図８】コンテンツの権利情報変更動作におけるユーザ端末１及びコンテンツ管理サーバ２の処理を示すフローチャートである。
【図９】（Ａ），（Ｂ）は、自動／手動の設定動作においてユーザ端末１に表示される画面の遷移例を示す図であり、（Ｃ），（Ｄ）は、権利情報の変更履歴確認動作においてユーザ端末１に表示される画面の遷移例を示す図である。
【図１０】（Ａ）は、自動／手動の設定動作におけるユーザ端末１及びコンテンツ管理サーバ２の処理を示すフローチャートであり、（Ｂ）は、権利情報の変更履歴確認動作におけるユーザ端末１及びコンテンツ管理サーバ２の処理を示すフローチャートである。
【図１１】（Ａ），（Ｂ）は、２次利用コンテンツ確認動作においてユーザ端末１に表示される画面の遷移例を示す図であり、（Ｃ），（Ｄ）は、原コンテンツ確認動作においてユーザ端末１に表示される画面の遷移例を示す図である。
【図１２】（Ａ）は、２次利用コンテンツ確認動作におけるユーザ端末１及びコンテンツ管理サーバ２の処理を示すフローチャートであり、（Ｂ）は、原コンテンツ確認動作におけるユーザ端末１及びコンテンツ管理サーバ２の処理を示すフローチャートである。
【発明を実施するための形態】
【００２３】
以下、本発明の実施形態を図面に基づいて説明する。なお、以下に説明する実施の形態は、コンテンツ管理システムに本発明を適用した場合の実施形態である。
【００２４】
［１．コンテンツ管理システムの構成及び動作概要］
始めに、図１を参照して、本実施形態におけるコンテンツ管理システムの構成及び動作概要について説明する。図１は、本実施形態に係るコンテンツ管理システムの概要構成例を示す図である。図１に示すように、本実施形態に係るコンテンツ管理システムＳは、ユーザ端末１と、コンテンツ管理サーバ２とを含んで構成されている。なお、コンテンツ管理サーバ２は、コンテンツを管理するコンテンツ管理装置の一例であり、ネットワークＮＷ上でコンテンツ管理サイトを運用するために設置されたサーバである。
【００２５】
ユーザ端末１とコンテンツ管理サーバ２は、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００２６】
ユーザ端末１は、制御部１１、記憶部１２、表示部１３、操作部１４、及び通信部１５等を備えて構成される。制御部１１は、ＣＰＵ（Central Processing Unit）、ＲＯＭ（Read Only Memory）、及びＲＡＭ（Random Access Memory）等により構成される。記憶部１２は、例えば、ハードディスク等により構成される。また、記憶部１２には、ＯＳ（Operating System）及びＷｅｂブラウザプログラム等が記憶されている。制御部１１は、Ｗｅｂブラウザプログラムを実行することによりＷｅｂブラウザとして機能する。表示部１３は、コンテンツ管理サーバ２から受信した各種画面を表示する。操作部１４は、コンテンツ管理サイトの利用者であるユーザからの操作指示を受け付けるためのキーボード及びマウス等を備える。通信部１５は、ネットワークＮＷに接続するため通信機器を備える。なお、ユーザ端末１には、パーソナルコンピュータ、スマートフォン、携帯電話機等が適用可能である。
【００２７】
コンテンツ管理サーバ２は、制御部２１、記憶部２２、及び通信部２３等を備えて構成される。制御部２１は、ＣＰＵ、ＲＯＭ、及びＲＡＭ等により構成される。記憶部２２は、本発明における記憶手段の一例であり、例えば、ハードディスク等により構成される。また、記憶部２２には、ＯＳ及びコンテンツ管理プログラム（本発明のコンピュータプログラムを含む）等が記憶されている。本発明のコンピュータプログラムは、例えば、他のサーバからネットワークＮＷを介してダウンロードされるようにしても良いし、ＣＤ−ＲＯＭ等の記録媒体に記録されてドライブを介して読み込まれるようにしても良い。
【００２８】
また、記憶部２２には、ユーザによる登録指示に応じて登録された複数のコンテンツが記憶されている。コンテンツには、例えば楽曲データ等により構成される楽曲コンテンツや、音声及び映像データ等により構成される動画コンテンツ等がある。また、コンテンツの種別としては、原コンテンツと、複次利用（ｎ次（ｎは２以上の自然数）利用）コンテンツがある。なお、以下の説明においては、複次利用コンテンツを、単に、２次利用コンテンツというものとする。
【００２９】
また、記憶部２２には、ユーザ端末１に各種画面を表示させるためのＷｅｂページデータが記憶されている。Ｗｅｂページデータは、Ｗｅｂページを構成する構造化文書（例えば、ＨＴＭＬ（Hyper Text Markup Language）文書やＸＨＴＭＬ文書等）ファイル等から構成される。
【００３０】
更に、記憶部２２には、コンテンツ情報データベース（ＤＢ）２２１、権利情報データベース（ＤＢ）２２２、権利マスタデータベース（ＤＢ）２２３、及びユーザ情報データベース（ＤＢ）２２４等が構築されている。
【００３１】
図２は、各データベースに登録される情報の一例を示す図である。図２（Ａ）に示すコンテンツ情報データベース２２１には、登録されたコンテンツのコンテンツＩＤ、当該コンテンツの作成者（著作権者）であるユーザのユーザＩＤ、当該コンテンツのコンテンツ名、当該コンテンツのコンテンツパス、許諾前フラグ、当該コンテンツが登録された登録日付（例えば、年月日日時）、及び原コンテンツＩＤがコンテンツ（コンテンツＩＤ）毎に対応付けられて登録される。ここで、コンテンツＩＤは、登録されたコンテンツを識別するための識別情報である。また、ユーザＩＤは、ユーザを識別するための識別情報である。コンテンツパスは、登録されたコンテンツのファイルの保管場所を示す。原コンテンツＩＤは、登録されたコンテンツが２次利用コンテンツである場合に、当該２次利用コンテンツの作成にあたり利用された原コンテンツのコンテンツＩＤを示す。
【００３２】
図２（Ｂ）に示す権利情報データベース２２２には、登録されたコンテンツのコンテンツＩＤ、権利ＩＤ、及び権利ＩＤが登録された登録日付等がコンテンツ毎に対応付けられて登録される。ここで、権利ＩＤは、登録されたコンテンツの利用に関する権利内容（以下、「コンテンツの権利内容」という）を識別するための識別情報である。権利内容は、登録されたコンテンツに対する利用行為（言い換えれば、操作）を表す。このような権利内容によりコンテンツの利用に関する権利範囲（以下、「コンテンツの権利範囲」という）が定まる。当該権利範囲を規定する情報を権利情報という。また、権利情報データベース２２２に登録される権利ＩＤで識別される権利内容は、複数種類の権利内容の中でコンテンツの作成者により許諾（許可）された権利内容である。言い換えれば、コンテンツの作成者により許諾された権利内容の範囲が、コンテンツの作成者により許諾された許諾範囲である。例えば、図２（Ｂ）に示す権利情報データベース２２２に登録されたコンテンツＩＤ“Ｃ００００１”には、権利情報として権利ＩＤ“Ｒ００００１”〜“Ｒ００００４”が対応付けられているため、当該コンテンツの許諾範囲は、「２次利用（無料）」、「販売」、「放送」、及び「編集」の範囲となる。また、図２（Ａ）より“Ｃ００００２”のコンテンツ（きらきら月）に対応する原コンテンツは、“Ｃ００００１”のコンテンツ（愛の歌）であり、図２（Ｂ）より、Ｃ００００２”のコンテンツの許諾範囲（「２次利用（無料）」、「販売」、「放送」）は、“Ｃ００００１”のコンテンツの許諾範囲（「２次利用（無料）」、「販売」、「放送」、「編集」）よりも狭くなっている（つまり、この例では、２次利用コンテンツの権利範囲は、原コンテンツの権利範囲より狭い範囲）。このように、権利情報データベース２２２により各コンテンツの権利情報が管理されることになる。なお、本実施形態においては、権利情報データベース２２２に、コンテンツの作成者により許諾された権利内容の権利ＩＤを登録することで、コンテンツの権利範囲が判断できるように構成したが、これ以外にも、例えば、コンテンツの作成者により許諾されていない権利内容の権利ＩＤをコンテンツＩＤに対応付けて登録することで、コンテンツの権利範囲が判断できるように構成してもよい。或いは、例えば、権利情報データベース２２２に、全ての権利内容の権利ＩＤをコンテンツＩＤに対応付けて登録すると共に、夫々の権利内容の権利ＩＤに対して、夫々の権利内容を許可するか否かを示す許否情報を対応付けて登録することで、コンテンツの権利範囲が判断できるように構成してもよい。
【００３３】
図２（Ｃ）に示す権利マスタデータベース（ＤＢ）２２３には、コンテンツの権利内容の例として、「２次利用（無料）」、「販売」、「放送」、「編集」及び「２次利用（有料）」等が登録されており、それぞれの権利内容には固有の権利ＩＤが対応付けられている。
【００３４】
図２（Ｄ）に示すユーザ情報データベース２２４には、会員登録されたユーザのユーザＩＤ、氏名、パスワード、メールアドレス、及び権利範囲（権利条件）の自動反映可否フラグ等がユーザ（ユーザＩＤ）毎に対応付けられて登録される。ここで、パスワードは、ユーザＩＤとともにユーザがコンテンツ管理サイトにログインするためのログイン処理に用いられる。権利範囲の自動反映可否フラグは、原コンテンツの権利範囲が変更された場合に、この変更を、当該原コンテンツを利用する２次利用コンテンツの権利範囲に対して自動的に反映するか否かを示す情報である。自動反映可否フラグが“ｔｒｕｅ”（自動反映可）の場合、２次利用コンテンツの作成者の変更指示を受け付けずに当該２次利用コンテンツの権利範囲を自動的に変更する自動モード（第１のモード）に設定される。一方、自動反映可否フラグが“ｆａｌｓｅ”（自動反映否）の場合、２次利用コンテンツの作成者の変更指示（再許諾指示）を受け付けて該変更指示にしたがって当該２次利用コンテンツの権利範囲を手動で変更する手動モード（第２のモード）に設定される。つまり、手動モードでは、２次利用コンテンツの作成者による再許諾後に、原コンテンツの権利範囲の変更が当該原コンテンツを利用する２次利用コンテンツの権利範囲に反映される。自動モードと手動モードの何れか一方が２次利用コンテンツの作成者であるユーザの選択に応じて設定される。
【００３５】
なお、コンテンツ情報データベース２２１に登録された許諾前フラグは、手動モードが設定されている状態において、原コンテンツの権利範囲が変更された場合に、この変更が当該原コンテンツを利用する２次利用コンテンツの権利範囲に対して反映されたか否かを示す。例えば、反映される前は許諾前フラグが“ｔｒｕｅ”に設定され、反映された後は許諾前フラグが“ｆａｌｓｅ”に設定される。
【００３６】
制御部２１には、コンピュータとしてコンテンツ管理プログラムを実行することによりＷｅｂサーバとして機能するとともに、本発明における取得手段、受付手段、設定手段、制御手段、検索手段、第１提示手段、第２提示手段、及び第３提示手段として機能し、後述する処理を行う。例えば、制御部２１は、コンテンツの作成者であるユーザによりユーザ端末１を介して指定されたコンテンツの権利情報を記憶部２２にアクセスして権利情報データベース２２２から取得する。そして、制御部２１は、取得した権利情報に規定される権利範囲の変更を当該ユーザからユーザ端末１を介して受け付け、当該ユーザにより指定されたコンテンツを利用して作成された２次利用コンテンツ（つまり、指定された原コンテンツを利用する２次利用コンテンツ）が記憶部２２に記憶されている場合に、当該原コンテンツの権利範囲の変更の受け付けに応じて、当該原コンテンツを利用する２次利用コンテンツの権利範囲を所定条件で変更させる。ここで、「所定条件で変更させる」とは、例えばこのとき設定されている自動モード又は手動モードにしたがって変更させることを意味する。例えば自動モードが設定されている場合、制御部２１は、原コンテンツの権利範囲の変更内容に基づいて、当該原コンテンツを利用する２次利用コンテンツの権利範囲が広がらないように当該原コンテンツを利用する２次利用コンテンツの権利範囲を自動的に変更させる。一方、手動モードが設定されている場合、制御部２１は、２次利用コンテンツの作成者の変更指示（再許諾指示）を受け付けて該変更指示にしたがって、当該２次利用コンテンツに対応する原コンテンツの権利範囲が広がらないように当該２次利用コンテンツの権利範囲を変更（つまり、ユーザの変更指示により手動で変更）させる。
【００３７】
なお、コンテンツ管理サーバ２は、一つのサーバにより構成されてもよいし、複数のサーバ（例えば、Ｗｅｂサーバ、アプリケーションサーバ、及びデータベースサーバ等）により構成されてもよい。コンテンツ管理サーバ２に備えられる記憶部２２は、該コンテンツ管理サーバ２とは物理的に分離された他のサーバに備えられるように構成してもよい。この場合、制御部２１は、例えば他のサーバに備えられる記憶部２２にアクセスすることになる。
【００３８】
［２．コンテンツ管理システムＳの動作］
次に、本実施形態におけるコンテンツ管理システムＳの動作について説明する。なお、以下に説明する動作の前提として、ユーザ端末１においてＷｅｂブラウザが起動し、ユーザ端末１からコンテンツ管理サーバ２へ送信されるログイン要求（ユーザのユーザＩＤ及びパスワード）に応じてコンテンツ管理サーバ２が行うログイン処理によりユーザ端末１のユーザがログインしている（ユーザ認証されている）ものとする。また、以下に説明する「ユーザ端末１とコンテンツ管理サーバ２との間の通信」において、リクエスト及びレスポンス等のデータは、例えばＳＳＬ（Secure Socket Layer）等のプロトコルにより暗号化されて送信又は受信される。
【００３９】
（２−１．コンテンツの登録動作）
先ず、図３〜図６を参照して、コンテンツの登録動作について説明する。図３は、コンテンツの登録動作においてユーザ端末１に表示される画面の遷移例を示す図である。図４は、コンテンツの登録動作におけるユーザ端末１及びコンテンツ管理サーバ２の処理を示すフローチャートである。図５は、図４に示すステップＳ７におけるコンテンツの検索動作の詳細を示すフローチャートである。図６（Ａ）は、図４に示すステップＳ１４における権利情報自動生成処理の詳細を示すフローチャートであり、図６（Ｂ）は、図４に示すステップＳ２２におけるコンテンツ販売・再生設定処理の詳細を示すフローチャートである。
【００４０】
図４において、コンテンツ登録画面を表示するためのＷｅｂページデータ（以下、「コンテンツ登録画面データ」という）のＵＲＬ（Uniform Resource Locator）が指定されると（ステップＳ１）、ユーザ端末１からコンテンツ管理サーバ２へリクエストが送信される（ステップＳ２）。
【００４１】
次いで、コンテンツ管理サーバ２においてユーザ端末１からのリクエストが受信されると（ステップＳ３）、コンテンツ管理サーバ２の制御部２１は、コンテンツ登録画面データを含むレスポンスをユーザ端末１へ送信する（ステップＳ４）。
【００４２】
次いで、ユーザ端末１においてコンテンツ管理サーバ２からのコンテンツ登録画面データを含むレスポンスが受信されると（ステップＳ５）、ユーザ端末１の制御部１１はＷｅｂブラウザにより、図３（Ａ）に示すようなコンテンツ登録画面を表示部１３に表示させる（ステップＳ６）。そして、ユーザ端末１のユーザは、操作部１４を操作して、登録対象となるコンテンツ及び当該コンテンツの種別（原コンテンツ、または２次利用コンテンツ）等を指定する（ステップＳ８）。例えば、図３（Ａ）に示すコンテンツ登録画面において、ユーザが参照ボタン３２を指定することで記憶部１２に記憶されているコンテンツのファイルを選択すると、選択されたファイルのファイル名（コンテンツ名でもある）を含むコンテンツパスがコンテンツパス入力欄３１に設定、表示される。これにより、登録対象となるコンテンツが指定される。また、ユーザは、チェックボタン（ラジオボタン）３３，３４の何れかをチェックすることで、コンテンツの種別を指定する。また、コンテンツの種別が２次利用コンテンツの場合、ユーザは、２次利用コンテンツに対応する原コンテンツを指定する。例えば、ユーザは、原コンネンツを指定するために、図３（Ａ）に示すコンテンツ登録画面において、コンテンツ検索ボタン３６を指定（押下）すると、図５に示すコンテンツの検索動作（ステップＳ７）が開始される。このコンテンツの検索動作では、図５に示すように、コンテンツ登録画面を表示するウインドウとは別のウインドウが起動され（ステップＳ７１）、ユーザ端末１からコンテンツ管理サーバ２へリクエストが送信される（ステップＳ７２）。
【００４３】
次いで、コンテンツ管理サーバ２においてユーザ端末１からのリクエストが受信されると（ステップＳ７３）、コンテンツ管理サーバ２の制御部２１は、コンテンツ検索画面を表示するためのＷｅｂページデータ（以下、「コンテンツ検索画面データ」という）を含むレスポンスをユーザ端末１へ送信する（ステップＳ７４）。
【００４４】
次いで、ユーザ端末１においてコンテンツ管理サーバ２からのコンテンツ検索画面データを含むレスポンスが受信されると（ステップＳ７５）、ユーザ端末１の制御部１１はＷｅｂブラウザにより、図３（Ｂ）に示すようなコンテンツ検索画面を表示部１３に表示させる（ステップＳ７６）。このようなコンテンツ検索画面において、ユーザが原コンテンツ名入力欄４１に原コンテンツを検索するための検索語（原コンテンツのコンテンツ名の全部又は一部）を入力して検索ボタン４２を指定すると（ステップＳ７７）、ユーザ端末１からコンテンツ管理サーバ２へ、入力された検索語を含むリクエストが送信される（ステップＳ７８）。
【００４５】
次いで、コンテンツ管理サーバ２においてユーザ端末１からのリクエストが受信されると（ステップＳ７９）、コンテンツ管理サーバ２の制御部２１は、受信された検索語をキーとしてコンテンツ（コンテンツＩＤ）を検索する（ステップＳ８０）。例えば、受信された検索語が含まれるコンテンツ名及びこれに対応付けられたコンテンツＩＤがコンテンツ情報データベース２２１から検索、取得される。そして、コンテンツ管理サーバ２の制御部２１は、コンテンツ検索結果画面を表示するためのＷｅｂページデータ（以下、「コンテンツ検索結果画面データ」という）を含むレスポンスをユーザ端末１へ送信する（ステップＳ８１）。なお、コンテンツ検索結果画面データには、上記ステップＳ８０における検索結果を示す情報が含まれる。
【００４６】
次いで、ユーザ端末１においてコンテンツ管理サーバ２からのコンテンツ検索結果画面データを含むレスポンスが受信されると（ステップＳ８２）、ユーザ端末１の制御部１１はＷｅｂブラウザにより、図３（Ｃ）に示すようなコンテンツ検索結果画面を表示部１３に表示させる（ステップＳ８３）。このようなコンテンツ検索結果画面において、ユーザが、２次利用コンテンツに対応する原コンテンツのコンテンツ名及びコンテンツＩＤに対応する選択ボタン４３を指定すると（ステップＳ８４）、指定されたコンテンツＩＤが、コンテンツ登録画面の原コンテンツＩＤ入力欄３５に設定（ステップＳ８５）、表示される。これにより、登録対象となる２次利用コンテンツに対応する原コンテンツが指定される。なお、２次利用コンテンツが複数の原コンテンツから作成される場合、各々の原コンテンツが指定されることになる。そして、図３（Ａ）に示すようなコンテンツ登録画面において、ユーザが送信ボタン３７を指定すると、ユーザ端末１からコンテンツ管理サーバ２へリクエスト（コンテンツの登録要求）が送信される（ステップＳ９）。このリクエストには、ユーザにより指定されたコンテンツのファイル、当該コンテンツのコンテンツ名及び当該コンテンツの種別を示す情報等（コンテンツの種別が２次利用コンテンツである場合、これに対応する原コンテンツのコンテンツＩＤを含む）が含まれる。
【００４７】
次いで、コンテンツ管理サーバ２においてユーザ端末１からのリクエスト（コンテンツの登録要求）が受信されると（ステップＳ１０）、コンテンツ管理サーバ２の制御部２１は、受信されたコンテンツの登録処理を実行する（ステップＳ１１）。コンテンツの登録処理では、制御部２１は、受信されたコンテンツのファイルを記憶部２２の所定の記憶領域に記憶するとともに、このコンテンツに固有のコンテンツＩＤを発行する。そして、制御部２１は、発行したコンテンツＩＤ、当該コンテンツの作成者であるユーザのユーザＩＤ（ユーザ端末１のユーザ）、当該コンテンツのコンテンツ名、当該コンテンツのコンテンツパス、許諾前フラグ“ｆａｌｓｅ”、及び当該コンテンツが登録された登録日付（例えば時計機能により得られる現在日時）を対応付けてコンテンツ情報データベース２２１に登録する。
【００４８】
次いで、制御部２１は、登録されたコンテンツが原コンテンツであるか否かをコンテンツの種別により判定し（ステップＳ１２）、原コンテンツでない（つまり、２次利用コンテンツである）場合には（ステップＳ１２：ＮＯ）、ステップＳ１３へ進み、原コンテンツである場合には（ステップＳ１２：ＹＥＳ）、ステップＳ１４へ進む。そして、ステップＳ１３では、制御部２１は、登録された２次利用コンテンツに対応する原コンテンツのコンテンツＩＤを原コンテンツＩＤとして、当該２次利用コンテンツのコンテンツＩＤに対応付けてコンテンツ情報データベース２２１に登録（原コンテンツとの関連付け登録）し、ステップＳ１４へ進む。
【００４９】
ステップＳ１４では、制御部２１は、権利情報自動生成処理を実行する。この権利情報自動生成処理では、図６（Ａ）に示すように、登録されたコンテンツが原コンテンツである場合（ステップＳ１４１：ＹＥＳ）、ステップＳ１４２へ進み、登録されたコンテンツが原コンテンツである（つまり、２次利用コンテンツである）場合には（ステップＳ１４１：ＮＯ）、ステップＳ１４３へ進む。そして、ステップＳ１４２では、制御部２１は、原コンテンツの権利情報を生成する。この権利情報は、例えばデフォルト値として予め設定されている。一方、ステップＳ１４３では、制御部２１は、上記ステップＳ１３で登録されたコンテンツＩＤ（原コンテンツＩＤ）をキーとして原コンテンツの権利情報を検索する。例えば、登録された２次利用コンテンツに対応する原コンテンツのコンテンツＩＤに対応付けられた権利ＩＤが、権利情報として権利情報データベース２２２から検索、取得される。なお、２次利用コンテンツに対応する原コンテンツが複数ある場合、各々の原コンテンツのコンテンツＩＤに対応付けられた権利ＩＤが取得される。そして、制御部１２は、検索された権利情報に基づいて、登録された２次利用コンテンツの権利情報を生成する（ステップＳ１４４）。例えば、原コンテンツが１つの場合、当該原コンテンツの権利情報がそのまま当該２次利用コンテンツの権利情報（原コンテンツのコンテンツＩＤに対応付けられた権利ＩＤを全て含む）として生成される。一方、原コンテンツが複数の場合、各々の原コンテンツの権利情報の積集合が当該２次利用コンテンツの権利情報（例えば、第一の原コンテンツの権利ＩＤと、第二の原コンテンツの権利ＩＤとのＡＮＤ条件を満たす権利ＩＤを含む）として生成される。なお、このとき、生成された権利情報に含まれる権利ＩＤに対応する権利内容が権利マスタデータベース２２３から取得され権利ＩＤに対応付けられて当該権利情報中に組み込まれる。
【００５０】
次いで、コンテンツ管理サーバ２の制御部２１は、権利情報編集画面を表示するためのＷｅｂページデータ（以下、「権利情報編集画面データ」という）を含むレスポンスをユーザ端末１へ送信する（ステップＳ１５）。なお、権利情報編集画面データには、上記登録されたコンテンツのコンテンツＩＤ、及び上記ステップＳ１４２またはステップＳ１４４で生成された権利情報が含まれる。
【００５１】
次いで、ユーザ端末１においてコンテンツ管理サーバ２からの権利情報編集画面データを含むレスポンスが受信されると（ステップＳ１６）、ユーザ端末１の制御部１１はＷｅｂブラウザにより、図３（Ｄ）に示すような権利情報編集画面を表示部１３に表示させる（ステップＳ１７）。図３（Ｄ）に示す権利情報編集画面では、上記権利情報に含まれる権利内容５１ａ〜５１ｄが選択（チェックボックスがチェック）された状態で表示（権利内容の名称に「可能」の文字が付加されて表示）されている。一方、上記権利情報に含まれない権利内容５１ｅは選択（チェックボックスがチェック）されていない状態で表示（選択可能に表示）されている。このような権利情報編集画面において、ユーザは所望の権利内容５１ａ〜５１ｄの選択（チェックボックスのチェック）を外す、または権利内容５１ｅを選択することで（図３（Ｅ）の例では、権利内容５１ａ及び５１ｄの選択が外され、「２次利用（無料）」５１ａと「編集」５１ｄは不許可になっている）権利情報を編集し（ステップＳ１８）た後、送信ボタン５２を指定すると、ユーザ端末１からコンテンツ管理サーバ２へリクエスト（権利情報の登録要求）が送信される（ステップＳ１９）。このリクエストには、上記登録されたコンテンツのコンテンツＩＤ、及びユーザにより編集された権利内容に対応する権利ＩＤが含まれる。
【００５２】
次いで、コンテンツ管理サーバ２においてユーザ端末１からのリクエスト（権利情報の登録要求）が受信されると（ステップＳ２０）、コンテンツ管理サーバ２の制御部２１は、受信された権利情報の登録処理を実行する（ステップＳ２１）。権利情報の登録処理では、制御部２１は、受信されたコンテンツＩＤ、該受信された権利ＩＤ、及び登録日付を対応付けて権利情報データベース２２２に登録する。
【００５３】
次いで、コンテンツ管理サーバ２の制御部２１は、コンテンツ販売・再生設定処理を実行する（ステップＳ２２）。コンテンツ販売・再生設定処理では、制御部２１は、図６（Ｂ）に示すように、許諾前フラグが“ｔｒｕｅ”に設定されているか否かを判定する（ステップＳ２２１）。コンテンツ登録動作においては、許諾前フラグは“ｆａｌｓｅ”に設定されているので（ステップＳ２２１：ＮＯ）、ステップＳ２２２へ進む。ステップＳ２２２では、制御部２１は、権利情報データベース２２２を参照して、上記登録されたコンテンツの権利情報がＮＵＬＬであるか否かを判定する。ここで、上記登録されたコンテンツＩＤに対応付けられて権利ＩＤが権利情報データベース２２２に登録されていない場合、権利情報がＮＵＬＬであると判定される。そして、制御部２１は、上記登録されたコンテンツの権利情報がＮＵＬＬであると判定した場合には（ステップ２２２：ＹＥＳ）、図７（Ｘ）に示すような、他のユーザにより閲覧されるコンテンツ閲覧画面における当該コンテンツをグレーアウトに設定する（ステップＳ２２３）。ここで、グレーアウトに設定とは、上記コンテンツ閲覧画面において他のユーザが当該コンテンツを購入するための購入ボタンと当該コンテンツを再生（例えばストリーミング再生）するための再生ボタンの少なくとも何れか一方のボタンを非表示に設定することを意味する。例えば、図７（Ｘ）に示すコンテンツ“さくら”に対応する再生ボタンは、グレーアウトに設定されているため、表示されていない。一方、制御部２１は、上記登録されたコンテンツの権利情報がＮＵＬＬでないと判定した場合には（ステップ２２２：ＮＯ）、権利情報データベース２２２を参照して、上記登録されたコンテンツが販売可能であるか否かを判定する（ステップＳ２２４）。ここで、権利情報データベース２２２において、上記登録されたコンテンツＩＤに対応付けられて登録されている権利ＩＤ中に「販売」の権利ＩＤが含まれる場合、上記登録されたコンテンツが販売可能であると判定される。そして、制御部２１は、上記登録されたコンテンツが販売可能であると判定した場合には（ステップ２２４：ＹＥＳ）、コンテンツ閲覧画面における当該コンテンツの販売ボタンを表示に設定する（ステップＳ２２５）。一方、制御部２１は、上記登録されたコンテンツが販売可能でないと判定した場合には（ステップ２２４：ＮＯ）、コンテンツ閲覧画面における当該コンテンツの販売ボタンを非表示に設定する（ステップＳ２２６）。
【００５４】
次いで、コンテンツ管理サーバ２の制御部２１は、権利情報データベース２２２を参照して、上記登録されたコンテンツが放送可能であるか否かを判定する（ステップＳ２２７）。ここで、権利情報データベース２２２において、上記登録されたコンテンツＩＤに対応付けられて登録されている権利ＩＤ中に「放送」の権利ＩＤが含まれる場合、上記登録されたコンテンツが放送可能であると判定される。そして、制御部２１は、上記登録されたコンテンツが放送可能であると判定した場合には（ステップ２２７：ＹＥＳ）、コンテンツ閲覧画面における当該コンテンツの再生ボタンを表示に設定する（ステップＳ２２８）。一方、制御部２１は、上記登録されたコンテンツが放送可能でないと判定した場合には（ステップ２２７：ＮＯ）、コンテンツ閲覧画面における当該コンテンツの再生ボタンを非表示に設定する（ステップＳ２２９）。
【００５５】
次いで、コンテンツ管理サーバ２の制御部２１は、コンテンツ登録完了画面を表示するためのＷｅｂページデータ（以下、「コンテンツ登録完了画面データ」という）を含むレスポンスをユーザ端末１へ送信する（ステップＳ２３）。次いで、ユーザ端末１においてコンテンツ管理サーバ２からのコンテンツ登録完了画面データを含むレスポンスが受信されると（ステップＳ２４）、ユーザ端末１の制御部１１はＷｅｂブラウザにより、図３（Ｆ）に示すようなコンテンツ登録完了画面を表示部１３に表示させる（ステップＳ２５）。
【００５６】
以上説明したように、コンテンツの登録動作によれば、原コンテンツの作成者及び２次利用コンテンツの作成者は、自身が作成したコンテンツを登録する際に、当該コンテンツの権利情報を効率良く登録することができる。
【００５７】
（２−２．コンテンツの権利情報変更動作）
次に、図７及び図８等を参照して、コンテンツの権利情報変更動作について説明する。図７は、コンテンツの権利情報変更動作においてユーザ端末１に表示される画面の遷移例を示す図である。図８は、コンテンツの権利情報変更動作におけるユーザ端末１及びコンテンツ管理サーバ２の処理を示すフローチャートである。
【００５８】
図８において、権利情報変更対象のコンテンツ選択画面を表示するためのＷｅｂページデータ（以下、「コンテンツ選択画面データ」という）のＵＲＬが指定されると（ステップＳ３１）、ユーザ端末１からコンテンツ管理サーバ２へリクエストが送信される（ステップＳ３２）。
【００５９】
次いで、コンテンツ管理サーバ２においてユーザ端末１からのリクエストが受信されると（ステップＳ３３）、コンテンツ管理サーバ２の制御部２１は、当該リクエストを送信したユーザ端末１のユーザのユーザＩＤを特定し、当該ユーザＩＤをキーとしてコンテンツ（コンテンツＩＤ）を検索する（ステップＳ３４）。例えば、特定されたユーザＩＤに対応付けられたコンテンツＩＤ及びコンテンツ名がコンテンツ情報データベース２２１から検索、取得される。そして、コンテンツ管理サーバ２の制御部２１は、コンテンツ選択画面データを含むレスポンスをユーザ端末１へ送信する（ステップＳ３５）。なお、コンテンツ選択画面データには、上記ステップＳ３４における検索結果を示す情報が含まれる。
【００６０】
次いで、ユーザ端末１においてコンテンツ管理サーバ２からのコンテンツ選択画面データを含むレスポンスが受信されると（ステップＳ３６）、ユーザ端末１の制御部１１はＷｅｂブラウザにより、図７（Ａ）に示すような権利情報変更対象のコンテンツ選択画面を表示部１３に表示させる（ステップＳ３７）。このようなコンテンツ選択画面において、ユーザが、権利情報（権利範囲）を変更するコンテンツのチェックボタン６１をチェックすることで、権利情報を変更するコンテンツを指定（コンテンツ選択）して選択ボタン６２を指定すると（ステップＳ３８）、指定されたコンテンツのコンテンツＩＤを含むリクエストが送信される（ステップＳ３９）。なお、図７（Ａ）の例では、コンテンツＩＤ“Ｃ００００６”のコンテンツ（すみれ）が指定されている。
【００６１】
次いで、コンテンツ管理サーバ２においてユーザ端末１からのリクエストが受信されると（ステップＳ４０）、コンテンツ管理サーバ２の制御部２１は、当該受信されたコンテンツＩＤをキーとしてコンテンツの権利情報を検索する（ステップＳ４１）。例えば、受信されたコンテンツＩＤに対応付けられた権利情報（権利ＩＤ）が権利情報データベース２２２から検索、取得される。例えば、コンテンツＩＤ“Ｃ００００６”に対応付けられた権利ＩＤ“Ｒ００００１”（２次利用）及び“Ｒ００００３”（放送）が取得される。なお、このとき、権利情報に含まれる権利ＩＤに対応する権利内容が権利マスタデータベース２２３から取得され権利ＩＤに対応付けられて当該権利情報中に組み込まれる。そして、コンテンツ管理サーバ２の制御部２１は、権利情報編集画面データを含むレスポンスをユーザ端末１へ送信する（ステップＳ４２）。なお、権利情報編集画面データには、上記受信されたコンテンツのコンテンツＩＤ、及び上記ステップＳ４２で取得された権利情報が含まれる。
【００６２】
次いで、ユーザ端末１においてコンテンツ管理サーバ２からの権利情報編集画面データを含むレスポンスが受信されると（ステップＳ４３）、ユーザ端末１の制御部１１はＷｅｂブラウザにより、図７（Ｂ）に示すような権利情報編集画面を表示部１３に表示させる（ステップＳ４４）。図７（Ｂ）に示す権利情報編集画面では、上記コンテンツの権利情報に含まれる権利内容６３ａ，６３ｃが選択（チェックボックスがチェック）された状態で表示（権利内容の名称に「可能」の文字が付加されて表示）されている。つまり、この例では、コンテンツＩＤ“Ｃ００００６”のコンテンツ（すみれ）は、「２次利用（無料）」と「放送」が許可（可能）されている。一方、上記権利情報に含まれない権利内容（販売）６３ｂは選択（チェックボックスがチェック）されていない状態で表示（選択可能に表示）されている。また、図２（Ａ）より、コンテンツＩＤ“Ｃ００００６”のコンテンツ（すみれ）に対応する原コンテンツは、“Ｃ００００２”のコンテンツ（きらきら月）であり、図２（Ｂ）より、このコンテンツ（きらきら月）の許諾範囲は、「２次利用（無料）」、「販売」、及び「放送」である（言い換えれば、「編集」及び「２次利用（有料）」）について許可されていない）。そのため、コンテンツ（きらきら月）を原コンテンツとするコンテンツ（すみれ）についても、「編集可能」及び「２次利用（有料）」とできないので、権利内容（編集）６３ｄのチェックボックスは無効化されており選択（チェック）できない状態になっている。このような権利情報編集画面において、ユーザは権利内容６３ａ，６３ｃの選択（チェック）を外す、または権利内容（販売）６３ｂを選択することで（図７（Ｃ）の例では、権利内容６３ｃの選択が外され、「放送」は不許可に変更されている）権利情報を編集（変更）し（ステップＳ４５）た後、送信ボタン６４を指定すると、ユーザ端末１からコンテンツ管理サーバ２へリクエストが送信される（ステップＳ４６）。このリクエストには、上記受信されたコンテンツＩＤ、及びユーザにより変更指示された権利内容に対応する権利ＩＤが含まれる。
【００６３】
次いで、コンテンツ管理サーバ２においてユーザ端末１からのリクエスト（権利情報の変更要求）が受信されると（ステップＳ４７）、コンテンツ管理サーバ２の制御部２１は、上記ステップＳ３８で指定されたコンテンツの権利情報（権利範囲）の変更を受け付け、上記受信された権利情報の変更処理（つまり、コンテンツの作成者の変更指示（再許諾指示）を受け付けて該変更指示にしたがって権利情報を変更する変更処理）を実行する（ステップＳ４８）。権利情報の変更処理では、制御部２１は、受信されたコンテンツＩＤ、該受信された権利ＩＤ、及び登録日付を対応付けて権利情報データベース２２２に登録する。これにより、図２（Ｂ）に示す例において、権利情報の変更前にコンテンツＩＤ“Ｃ００００６”（すみれ）に対応付けられて登録されていた権利ＩＤ“Ｒ００００１”（２次利用）及び“Ｒ００００３”（放送）が、権利ＩＤ“Ｒ００００１”（２次利用）だけに変更（2011/9/31 13:23:11の変更）されている。また、ステップＳ４８の変更処理では、制御部２１は、例えば、受信されたコンテンツＩＤ及び権利ＩＤ等を登録する際に、当該コンテンツＩＤに対応付けられてコンテンツ情報データベース２２１に登録されている許諾前フラグが“ｔｒｕｅ”であるか否かを判定し、“ｔｒｕｅ”であると判定した場合（つまり、当該コンテンツが後述するステップＳ５５で“ｔｒｕｅ”に設定された２次利用コンテンツである場合）には、当該コンテンツＩＤに対応付けられた許諾前フラグを“ｆａｌｓｅ”に設定する。これにより、コンテンツ情報データベース２２１における当該許諾前フラグが“ｔｒｕｅ”から“ｆａｌｓｅ”に変更登録される。
【００６４】
次いで、コンテンツ管理サーバ２の制御部２１は、上記ステップＳ４７で受信されたコンテンツＩＤをキーとして、上記ステップＳ３８で指定されたコンテンツを利用する２次利用コンテンツが登録されているか（記憶部２２に記憶されているか）否かを判定する（ステップＳ４９）。例えば、受信されたコンテンツＩＤが原コンテンツＩＤとしてコンテンツ情報データベース２２１に登録されている場合、上記指定されたコンテンツを利用する２次利用コンテンツが記憶部２２に記憶されていると判定される。そして、制御部２１は、上記ステップＳ３８で指定されたコンテンツを利用する２次利用コンテンツが登録されていると判定した場合には（ステップＳ４９：ＹＥＳ）、当該２次利用コンテンツをコンテンツ情報データベース２２１から特定（２次利用コンテンツのコンテンツＩＤ等を含むレコードを特定）し、ステップＳ５０に進む。例えば、図２（Ａ）より、コンテンツＩＤ“Ｃ００００６”のコンテンツ（すみれ）に対応する“Ｃ００００７”の２次利用コンテンツ（すみれ色）が特定される。一方、制御部２１は、上記ステップＳ３８で指定されたコンテンツを利用する２次利用コンテンツが登録されていないと判定した場合には（ステップＳ４９：ＮＯ）、ステップＳ５６に進む。
【００６５】
ステップＳ５０では、コンテンツ管理サーバ２の制御部２１は、上記特定された２次利用コンテンツの作成者であるユーザを検索し、当該ユーザのメールアドレスを取得する。例えば、制御部２１は、上記特定された２次利用コンテンツのコンテンツＩＤに対応付けられたユーザＩＤをコンテンツ情報データベース２２１から取得し、当該取得したユーザＩＤに対応付けられたメールアドレスをユーザ情報データベース２２４から取得する。そして、制御部２１は、上記検索されたユーザの２次利用コンテンツに対応する原コンテンツの権利情報が変更されたことを示す情報（どの権利内容が変更されたかの情報が含まれてもよい）が記述された電子メールを、上記ステップＳ５０で取得されたメールアドレス宛に送信（メール通知）する（ステップＳ５１）。これにより、２次利用コンテンツの作成者は原コンテンツの権利情報の変更を迅速に把握することができる。
【００６６】
次いで、コンテンツ管理サーバ２の制御部２１は、上記検索されたユーザのユーザＩＤに対応付けられてユーザ情報データベース２２４に登録されている自動反映可否フラグを参照して、自動反映可（“ｔｒｕｅ”）である（自動モード設定中）か否かを判定する（ステップＳ５２）。そして、制御部２１は、自動反映可である（自動モード設定中）と判定した場合には（ステップＳ５２：ＹＥＳ）、権利情報自動生成処理を実行する（ステップＳ５３）。この権利情報自動生成処理は、図４に示すステップＳ１４における権利情報自動生成処理と同様、図６（Ａ）に示すように行われる。この場合、２次利用コンテンツが対象となるので、図６（Ａ）において、ステップＳ１４１からステップＳ１４３へ進み、制御部２１は、上記特定された２次利用コンテンツに対応する原コンテンツの権利情報を検索する。例えば、上記特定された２次利用コンテンツに対応する原コンテンツのコンテンツＩＤに対応付けられた権利ＩＤが、権利情報として権利情報データベース２２２から検索、取得される。なお、２次利用コンテンツに対応する原コンテンツが複数ある場合、各々の原コンテンツのコンテンツＩＤに対応付けられた権利ＩＤが取得される。そして、制御部１２は、検索された権利情報に基づいて、登録された２次利用コンテンツの権利情報を生成（２次利用コンテンツの権利範囲を変更）する（ステップＳ１４４）。つまり、自動モードが設定されている場合、制御部２１は、原コンテンツの権利範囲の変更内容に基づいて、当該原コンテンツを利用する２次利用コンテンツの権利範囲を自動的に変更させる。これにより、原コンテンツの権利範囲の変更を、当該原コンテンツを利用する２次利用コンテンツの権利範囲に対してより迅速に反映させることができる。そして、制御部２１は、上記ステップＳ５３で生成（変更）された権利情報（権利範囲）の変更処理を実行する（ステップＳ５４）。権利情報の変更処理では、制御部２１は、受信されたコンテンツＩＤ、該変更された権利ＩＤ、及び登録日付を対応付けて権利情報データベース２２２に登録する。これにより、図２（Ｂ）に示す例において、権利情報の変更前にコンテンツＩＤ“Ｃ００００７”（すみれ色）に対応付けられて登録されていた権利ＩＤ“Ｒ００００１”（２次利用）及び“Ｒ００００３”（放送）が、権利ＩＤ“Ｒ００００１”（２次利用）だけに変更（2011/9/31 13:23:11の変更）されている。
【００６７】
一方、上記ステップＳ５２において、制御部２１は、自動反映可でない（手動モード設定中）と判定した場合には（ステップＳ５２：ＮＯ）、上記特定された２次利用コンテンツのコンテンツＩＤに対応付けられてコンテンツ情報データベース２２１に登録されている許諾前フラグを“ｔｒｕｅ”に設定する（ステップＳ５５）。これにより、コンテンツ情報データベース２２１における当該許諾前フラグが“ｆａｌｓｅ”から“ｔｒｕｅ”に変更登録される。このように手動モードが設定されている場合、自動モードが設定されている場合とは異なり、権利情報の自動変更は行われない。この場合、上記ステップＳ５１で送信された電子メールを見た２次利用コンテンツの作成者は、上記ステップＳ３１でＵＲＬを指定してユーザ端末１に、図７（Ａ）に示すようなコンテンツ選択画面を表示させて手動で２次利用コンテンツの権利情報を変更することになる。この場合、制御部２１は、上記ステップＳ４８において、２次利用コンテンツの作成者の変更指示を受け付けて該変更指示にしたがって権利情報を変更することになる。これにより、原コンテンツの権利範囲の変更があった場合、２次利用コンテンツの作成者は、変更された権利範囲に基づいて、再度２次利用コンテンツの権利範囲を再設定することができる。よって、２次利用コンテンツの作成者は、利用している原コンテンツの権利範囲が変更されても、２次利用コンテンツの権利範囲をより適切に反映させることができる。
【００６８】
次いで、コンテンツ管理サーバ２の制御部２１は、コンテンツ販売・再生設定処理を実行する（ステップＳ５６）。このコンテンツ販売・再生設定処理は、上記ステップＳ４８で権利情報が変更されたコンテンツと、上記特定された２次利用コンテンツを対象として、図４に示すステップＳ２２におけるコンテンツ販売・再生設定処理と同様、図６（Ｂ）に示すように行われる。ところで、手動モードが設定されている場合において、上記特定された２次利用コンテンツを対象としてコンテンツ販売・再生設定処理を実行する場合、図６（Ｂ）に示すステップＳ２２１では、許諾前フラグが“ｔｒｕｅ”に設定されていると判定されるため、ステップＳ２２３へ進み、他のユーザにより閲覧されるコンテンツ閲覧画面における当該２次利用コンテンツをグレーアウトに設定することになる。これにより、当該２次利用コンテンツの作成者の変更指示を受け付けて該変更指示にしたがって権利情報が変更されるまで（例えば、上記ステップＳ４８で変更されると、許諾前フラグが“ｔｒｕｅ”から ｆａｌｓｅ”に変更される）、他のユーザは上記コンテンツ閲覧画面において当該２次利用コンテンツの購入及び再生を行うことができなくなる。
【００６９】
次いで、コンテンツ管理サーバ２の制御部２１は、権利情報編集（変更）完了画面を表示するためのＷｅｂページデータ（以下、「権利情報編集完了画面データ」という）を含むレスポンスをユーザ端末１へ送信する（ステップＳ５７）。次いで、ユーザ端末１においてコンテンツ管理サーバ２からの権利情報編集完了画面データを含むレスポンスが受信されると（ステップＳ５８）、ユーザ端末１の制御部１１はＷｅｂブラウザにより、図７（Ｄ）に示すような権利情報編集完了画面を表示部１３に表示させる（ステップＳ５９）。
【００７０】
以上説明したように、コンテンツの権利情報変更動作によれば、原コンテンツの権利範囲が変更される際に、当該権利範囲の変更を、当該原コンテンツを利用する２次利用コンテンツの権利範囲に対して迅速に反映させることができる。
【００７１】
（２−３．自動／手動の設定動作）
次に、図９（Ａ），（Ｂ）及び図１０（Ａ）を参照して、自動（自動モード）／手動（手動モード）の設定動作について説明する。図９（Ａ），（Ｂ）は、自動／手動の設定動作においてユーザ端末１に表示される画面の遷移例を示す図である。図１０（Ａ）は、自動／手動の設定動作におけるユーザ端末１及びコンテンツ管理サーバ２の処理を示すフローチャートである。自動／手動の設定動作では、権利範囲が変更された場合の動作（自動モードによる動作、または手動モードに動作）を登録することができる。
【００７２】
図１０（Ａ）において、自動／手動設定画面を表示するためのＷｅｂページデータ（以下、「自動／手動設定画面データ」という）のＵＲＬが指定されると（ステップＳ１５１）、ユーザ端末１からコンテンツ管理サーバ２へリクエストが送信される（ステップＳ１５２）。
【００７３】
次いで、コンテンツ管理サーバ２においてユーザ端末１からのリクエストが受信されると（ステップＳ１５３）、コンテンツ管理サーバ２の制御部２１は、自動／手動設定画面データを含むレスポンスをユーザ端末１へ送信する（ステップＳ１５４）。
【００７４】
次いで、ユーザ端末１においてコンテンツ管理サーバ２からの自動／手動設定画面データを含むレスポンスが受信されると（ステップＳ１５５）、ユーザ端末１の制御部１１はＷｅｂブラウザにより、図９（Ａ）に示すような自動／手動設定画面を表示部１３に表示させる（ステップＳ１５６）。このような自動／手動設定画面において、ユーザは、チェックボタン（ラジオボタン）７１，７２の何れかをチェックすることで、自動モード（自動的に反映する）又は手動モード（許諾後反映する）を選択して選択ボタン７３を指定すると（ステップＳ１５７）、ユーザ端末１からコンテンツ管理サーバ２へ、選択されたモード（自動又は手動）を示すモード選択情報を含むリクエストが送信される（ステップＳ１５８）。
【００７５】
次いで、コンテンツ管理サーバ２においてユーザ端末１からのリクエストが受信されると（ステップＳ１５９）、コンテンツ管理サーバ２の制御部２１は、権利範囲の自動反映可否登録処理を実行する（ステップＳ１６０）。この自動反映可否登録処理では、制御部２１は、当該リクエストを送信したユーザ端末１のユーザのユーザＩＤを特定し、当該ユーザＩＤに対応付けられてユーザ情報データベース２２４に登録されている自動反映可否フラグを、当該リクエストに含まれるモード選択情報に基づいて更新（“ｔｒｕｅ”（自動反映可、又は“ｆａｌｓｅ”（自動反映否）に更新）登録する。これにより、自動モード又は手動モードが設定される。
【００７６】
次いで、コンテンツ管理サーバ２の制御部２１は、自動／手動設定完了画面を表示するためのＷｅｂページデータ（以下、「自動／手動設定完了画面データ」という）を含むレスポンスをユーザ端末１へ送信する（ステップＳ１６１）。次いで、ユーザ端末１においてコンテンツ管理サーバ２からの自動／手動設定完了画面データを含むレスポンスが受信されると（ステップＳ１６２）、ユーザ端末１の制御部１１はＷｅｂブラウザにより、図９（Ｂ）に示すような自動／手動設定完了画面を表示部１３に表示させる（ステップＳ１６３）。
【００７７】
以上説明したように、自動／手動の設定動作によれば、２次利用コンテンツの作成者は、当該２次利用コンテンツの重要性等に応じて、原コンテンツの権利範囲が変更された時に２次利用コンテンツの権利範囲を変更する動作について自動モードと手動モードの２つのモードを使い分けることができる。
【００７８】
（２−４．権利情報の変更履歴確認動作）
次に、図９（Ｃ），（Ｄ）及び図１０（Ｂ）を参照して、権利情報の変更履歴確認動作について説明する。図９（Ｃ），（Ｄ）は、権利情報の変更履歴確認動作においてユーザ端末１に表示される画面の遷移例を示す図である。図１０（Ｂ）は、権利情報の変更履歴確認動作におけるユーザ端末１及びコンテンツ管理サーバ２の処理を示すフローチャートである。
【００７９】
図１０（Ｂ）において、変更履歴確認対象のコンテンツ選択画面を表示するためのＷｅｂページデータのＵＲＬが指定されると（ステップＳ１７１）、ユーザ端末１からコンテンツ管理サーバ２へリクエストが送信される（ステップＳ１７２）。なお、ステップＳ１７３〜Ｓ１７６の処理は、図８に示すステップＳ３３〜Ｓ３６の処理と同様であるので重複する説明を省略する。そして、ユーザ端末１の制御部１１はＷｅｂブラウザにより、図９（Ｃ）に示すような変更履歴確認対象のコンテンツ選択画面を表示部１３に表示させる（ステップＳ１７７）。このようなコンテンツ選択画面において、ユーザが、変更履歴を確認するコンテンツのチェックボタン８１をチェックすることで、変更履歴を確認するコンテンツを指定（コンテンツ選択）して選択ボタン８２を指定すると（ステップＳ１７８）、指定されたコンテンツのコンテンツＩＤを含むリクエストが送信される（ステップＳ１７９）。
【００８０】
次いで、コンテンツ管理サーバ２においてユーザ端末１からのリクエストが受信されると（ステップＳ１８０）、コンテンツ管理サーバ２の制御部２１は、当該受信されたコンテンツＩＤをキーとしてコンテンツの権利情報の変更履歴を検索する（ステップＳ１８１）。例えば、受信されたコンテンツＩＤに対応付けられた権利ＩＤ及び登録日付が変更履歴として権利情報データベース２２２から検索、取得される。なお、このとき、当該受信されたコンテンツＩＤに対応付けられた権利ＩＤに対応する権利内容が権利マスタデータベース２２３から取得され権利ＩＤに対応付けられて変更履歴中に組み込まれる。また、当該受信されたコンテンツＩＤに対応付けられたコンテンツ名が変更履歴中に組み込まれる。
【００８１】
次いで、コンテンツ管理サーバ２の制御部２１は、権利情報の変更履歴画面を表示するためのＷｅｂページデータ（以下、「変更履歴画面データ」という）を含むレスポンスをユーザ端末１へ送信する（ステップＳ１８２）。なお、変更履歴画面データには、上記取得された変更履歴が含まれる。
【００８２】
次いで、ユーザ端末１においてコンテンツ管理サーバ２からの変更履歴画面データを含むレスポンスが受信されると（ステップＳ１８３）、ユーザ端末１の制御部１１はＷｅｂブラウザにより、図９（Ｄ）に示すような権利情報の変更履歴画面を表示部１３に表示させる（ステップＳ１８４）。図９（Ｄ）に示す変更履歴画面には、上記変更履歴（この例では、ユーザ「山田太郎」の変更履歴）に含まれるコンテンツ名と、上記変更履歴に含まれる権利ＩＤに対応する権利内容が表示されており、さらに、当該変更履歴に含まれる登録日付が変更日時として表示されている。このように、ユーザにより指定されたコンテンツの権利情報（権利範囲）の変更履歴が当該ユーザに提示される。
【００８３】
以上説明したように、権利情報の変更履歴確認動作によれば、コンテンツの権利範囲の変更履歴をユーザに提示することができる。
【００８４】
（２−５．２次利用コンテンツ確認動作）
次に、図１１（Ａ），（Ｂ）及び図１２（Ａ）を参照して、２次利用コンテンツ確認動作について説明する。図１１（Ａ），（Ｂ）は、２次利用コンテンツ確認動作においてユーザ端末１に表示される画面の遷移例を示す図である。図１２（Ａ）は、２次利用コンテンツ確認動作におけるユーザ端末１及びコンテンツ管理サーバ２の処理を示すフローチャートである。
【００８５】
図１２（Ａ）において、確認対象の２次利用コンテンツに対応する原コンテンツ選択画面を表示するためのＷｅｂページデータ（以下、「原コンテンツ選択画面データ」という）のＵＲＬが指定されると（ステップＳ１９１）、ユーザ端末１からコンテンツ管理サーバ２へリクエストが送信される（ステップＳ１９２）。
【００８６】
次いで、コンテンツ管理サーバ２においてユーザ端末１からのリクエストが受信されると（ステップＳ１９３）、コンテンツ管理サーバ２の制御部２１は、当該リクエストを送信したユーザ端末１のユーザのユーザＩＤを特定し、当該ユーザＩＤをキーとして原コンテンツ（コンテンツＩＤ）を検索する（ステップＳ１９４）。例えば、特定されたユーザＩＤに対応付けられたコンテンツＩＤのうち、２次利用されている原コンテンツのコンテンツＩＤ及びコンテンツ名がコンテンツ情報データベース２２１から検索、取得される。なお、複数の原コンテンツがある場合、当該複数の原コンテンツのコンテンツＩＤ及びコンテンツ名が取得される。そして、コンテンツ管理サーバ２の制御部２１は、原コンテンツ選択画面データを含むレスポンスをユーザ端末１へ送信する（ステップＳ１９５）。なお、原コンテンツ選択画面データには、上記ステップＳ１９４における検索結果を示す情報が含まれる。
【００８７】
次いで、ユーザ端末１においてコンテンツ管理サーバ２からの原コンテンツ選択画面データを含むレスポンスが受信されると（ステップＳ１９６）、ユーザ端末１の制御部１１はＷｅｂブラウザにより、図１１（Ａ）に示すような原コンテンツ選択画面を表示部１３に表示させる（ステップＳ１９７）。このような原コンテンツ選択画面において、ユーザが、所望の原コンテンツのチェックボタン９１をチェックすることで、原コンテンツを指定（原コンテンツ選択）して選択ボタン９２を指定すると（ステップＳ１９８）、指定された原コンテンツのコンテンツＩＤを含むリクエストが送信される（ステップＳ１９９）。
【００８８】
次いで、コンテンツ管理サーバ２においてユーザ端末１からのリクエストが受信されると（ステップＳ２００）、コンテンツ管理サーバ２の制御部２１は、当該受信されたコンテンツＩＤに対応する原コンテンツを利用する２次利用コンテンツを検索する（ステップＳ２０１）。例えば、受信されたコンテンツＩＤが原コンテンツＩＤとして登録されている２次利用コンテンツのコンテンツＩＤがコンテンツ情報データベース２２１から検索、取得される。そして、取得されたコンテンツＩＤに対応付けられているコンテンツ名及びユーザＩＤがコンテンツ情報データベース２２１から取得され、当該ユーザＩＤに対応付けられているユーザ（２次利用コンテンツの作成者）の氏名がユーザ情報データベース２２４から取得される。更に、当該取得されたコンテンツＩＤに対応付けられた権利ＩＤが権利情報データベース２２２から取得され、当該権利ＩＤに対応する権利内容が権利マスタデータベース２２３から取得される。
【００８９】
次いで、コンテンツ管理サーバ２の制御部２１は、２次利用コンテンツ一覧画面を表示するためのＷｅｂページデータ（以下、「２次利用コンテンツ一覧画面データ」という）を含むレスポンスをユーザ端末１へ送信する（ステップＳ２０２）。なお、２次利用コンテンツ一覧画面データには、上記取得されたコンテンツＩＤ、コンテンツ名、２次利用コンテンツの作成者の氏名、及び２次利用コンテンツの権利内容を含む２次利用コンテンツに関する情報が含まれる。
【００９０】
次いで、ユーザ端末１においてコンテンツ管理サーバ２からの２次利用コンテンツ一覧画面データを含むレスポンスが受信されると（ステップＳ２０３）、ユーザ端末１の制御部１１はＷｅｂブラウザにより、図１１（Ｂ）に示すような２次利用コンテンツ一覧画面を表示部１３に表示させる（ステップＳ２０４）。図１１（Ｂ）に示す２次利用コンテンツ一覧画面には、上記ステップＳ１９８で選択された原コンテンツを利用する２次利用コンテンツのコンテンツ名、当該２次利用コンテンツの作成者の氏名、及び当該２次利用コンテンツの権利内容が表示されている。このように、ユーザにより指定された原コンテンツを利用する２次利用コンテンツに関する情報が当該ユーザに提示される。
【００９１】
以上説明したように、２次利用コンテンツ確認動作によれば、ユーザにより指定された原コンテンツを利用する２次利用コンテンツに関する情報をユーザに迅速に提示することができる。その結果、ユーザは、原コンテンツの権利範囲を変更した場合における影響範囲、つまり、当該原コンテンツを利用する２次利用コンテンツを迅速に確認することができる。
【００９２】
（２−６．原コンテンツ確認動作）
次に、図１１（Ｃ），（Ｄ）及び図１２（Ｂ）を参照して、原コンテンツ確認動作について説明する。図１１（Ｃ），（Ｄ）は、原コンテンツ確認動作においてユーザ端末１に表示される画面の遷移例を示す図である。図１２（Ｂ）は、原コンテンツ確認動作におけるユーザ端末１及びコンテンツ管理サーバ２の処理を示すフローチャートである。
【００９３】
図１２（Ｂ）において、確認対象の原コンテンツを利用する２次利用コンテンツ選択画面を表示するためのＷｅｂページデータ（以下、「２次利用コンテンツ選択画面データ」という）のＵＲＬが指定されると（ステップＳ２０５）、ユーザ端末１からコンテンツ管理サーバ２へリクエストが送信される（ステップＳ２０６）。
【００９４】
次いで、コンテンツ管理サーバ２においてユーザ端末１からのリクエストが受信されると（ステップＳ２０７）、コンテンツ管理サーバ２の制御部２１は、当該リクエストを送信したユーザ端末１のユーザのユーザＩＤを特定し、当該ユーザＩＤをキーとして２次利用コンテンツ（コンテンツＩＤ）を検索する（ステップＳ２０８）。例えば、特定されたユーザＩＤに対応付けられたコンテンツＩＤのうち、原コンテンツＩＤが対応付けられているコンテンツ（つまり、２次利用コンテンツ）のコンテンツＩＤ及びコンテンツ名がコンテンツ情報データベース２２１から検索、取得される。なお、複数の２次利用コンテンツがある場合、当該複数の２次利用コンテンツのコンテンツＩＤ及びコンテンツ名が取得される。そして、コンテンツ管理サーバ２の制御部２１は、２次利用コンテンツ選択画面データを含むレスポンスをユーザ端末１へ送信する（ステップＳ２０９）。なお、２次利用コンテンツ選択画面データには、上記ステップＳ２０８における検索結果を示す情報が含まれる。
【００９５】
次いで、ユーザ端末１においてコンテンツ管理サーバ２からの２次利用コンテンツ選択画面データを含むレスポンスが受信されると（ステップＳ２１０）、ユーザ端末１の制御部１１はＷｅｂブラウザにより、図１１（Ｃ）に示すような２次利用コンテンツ選択画面を表示部１３に表示させる（ステップＳ２１１）。このような２次利用コンテンツ選択画面において、ユーザが、所望の２次利用コンテンツのチェックボタン１０１をチェックすることで、２次利用コンテンツを指定（２次利用コンテンツ選択）して選択ボタン１０２を指定すると（ステップＳ２１２）、指定された２次利用コンテンツのコンテンツＩＤを含むリクエストが送信される（ステップＳ２１３）。
【００９６】
次いで、コンテンツ管理サーバ２においてユーザ端末１からのリクエストが受信されると（ステップＳ２１４）、コンテンツ管理サーバ２の制御部２１は、当該受信されたコンテンツＩＤに対応する２次利用コンテンツの作成にあたり利用された原コンテンツを検索する（ステップＳ２１５）。例えば、受信されたコンテンツＩＤ（２次利用コンテンツのコンテンツＩＤ）に対応付けられた原コンテンツＩＤ（原コンテンツのコンテンツＩＤ）がコンテンツ情報データベース２２１から検索、取得される。そして、取得された原コンテンツのコンテンツＩＤに対応付けられているコンテンツ名及びユーザＩＤがコンテンツ情報データベース２２１から取得され、当該ユーザＩＤに対応付けられているユーザ（原コンテンツの作成者）の氏名がユーザ情報データベース２２４から取得される。
【００９７】
次いで、コンテンツ管理サーバ２の制御部２１は、原コンテンツ一覧画面を表示するためのＷｅｂページデータ（以下、「原コンテンツ一覧画面データ」という）を含むレスポンスをユーザ端末１へ送信する（ステップＳ２１６）。なお、原コンテンツ一覧画面データには、上記取得されたコンテンツＩＤ、コンテンツ名、及び原コンテンツの作成者の氏名を含む原コンテンツに関する情報が含まれる。
【００９８】
次いで、ユーザ端末１においてコンテンツ管理サーバ２からの原コンテンツ一覧画面データを含むレスポンスが受信されると（ステップＳ２１７）、ユーザ端末１の制御部１１はＷｅｂブラウザにより、図１１（Ｄ）に示すような原コンテンツ一覧画面を表示部１３に表示させる（ステップＳ２１８）。図１１（Ｄ）に示す原コンテンツ一覧画面には、上記ステップＳ２１２で選択された２次利用コンテンツに対応する原コンテンツのコンテンツ名、及び当該原コンテンツの作成者の氏名が表示されている。このように、ユーザにより指定された２次利用コンテンツに対応する原コンテンツに関する情報が当該ユーザに提示される。
【００９９】
以上説明したように、原コンテンツ確認動作によれば、ユーザにより指定された２次利用コンテンツに対応する原コンテンツに関する情報をユーザに迅速に提示することができる。
【符号の説明】
【０１００】
１  ユーザ端末
２  コンテンツ管理サーバ
１１，２１  制御部
１２，２２  記憶部
１３  表示部
１４  操作部
１５、２３  通信部
２２１  コンテンツ情報データベース
２２２  権利情報データベース
２２３  権利マスタデータベース
２２４  ユーザ情報データベース
Ｓ  コンテンツ管理システム
【図１】
2013073490.tif 000003
【図２】
2013073490.tif 000004
【図３】
2013073490.tif 000005
【図４】
2013073490.tif 000006
【図５】
2013073490.tif 000007
【図６】
2013073490.tif 000008
【図７】
2013073490.tif 000009
【図８】
2013073490.tif 000010
【図９】
2013073490.tif 000011
【図１０】
2013073490.tif 000012
【図１１】
2013073490.tif 000013
【図１２】
2013073490.tif 000014